【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
可視電子署名を付加する画像処理装置であって、
画像データから文字画像データを抽出する文字画像抽出手段と、
前記可視電子署名が配置される領域と前記文字画像データの領域とが重なるか否かを判定する判定手段と、
前記可視電子署名が配置される領域と前記文字画像データの領域とが重なると前記判定手段で判定した場合、透明な背景上に前記文字画像データが記述された文字画像レイヤデータを生成する文字画像レイヤ生成手段と、
上位から順に、前記文字画像レイヤデータ、前記可視電子署名、前記画像データの階層構造を有する電子ファイルを生成するファイル生成手段と
を備えることを特徴とする画像処理装置。
【請求項２】
前記文字画像抽出手段は、ヘッダー／フッターの文字画像データを削除する手段を更に備え、
前記判定手段は、前記可視電子署名が配置される領域と、前記ヘッダー／フッターが削除された後の文字画像データの領域とが重なるか否かを判定することを特徴とする請求項１記載の画像処理装置。
【請求項３】
前記文字画像レイヤ生成手段は、前記判定手段で前記可視電子署名が配置される領域と前記文字画像データの領域とが重なると判定した場合、前記可視電子署名が配置される領域に重なる文字画像データのみを記述した文字画像レイヤデータを生成することを特徴とする請求項１または２に記載の画像処理装置。
【請求項４】
前記文字画像レイヤ生成手段は、前記可視電子署名が配置される領域と前記文字画像データの領域とが重ならないと前記判定手段で判定した場合、前記ファイル生成手段は、前記可視電子署名を前記画像データに付与し、当該可視電子署名が付与された画像データの電子ファイルを生成することを特徴とする請求項１または２に記載の画像処理装置。
【請求項５】
前記抽出された文字画像データは、ビットマップデータ又はベクトルデータであることを特徴とする請求項１ないし４のいずれかに記載の画像処理装置。
【請求項６】
可視電子署名を付加する画像処理装置であって、
画像データから画像領域を抽出する領域分割手段と、
前記可視電子署名が配置される領域と前記抽出された画像領域とが重なるか否かを判定する判定手段と、
前記可視電子署名が配置される領域と、前記画像領域とが重なると前記判定手段で判定された場合、前記可視電子署名を半透明化する半透明化手段と、
前記半透明化された可視電子署名が付与された前記画像データの電子ファイルを生成するファイル生成手段と
を備えることを特徴とする画像処理装置。
【請求項７】
可視電子署名を付加する画像処理装置であって、
画像データから文字領域と画像領域とを抽出する領域分割手段と、
前記可視電子署名が配置される領域に対して、前記画像領域と文字領域との両方が重なる場合、予め設定された優先度にしたがって、前記可視電子署名の半透明化、又は、透明な背景上に前記文字領域の文字画像データが記述された文字画像レイヤデータの生成の少なくとも一方を選択する選択手段と、
前記選択手段で前記可視電子署名の半透明化が選択された場合に、前記可視電子署名を半透明化する半透明化手段と、
前記選択手段で前記文字画像レイヤデータの生成が選択された場合に、透明な背景上に前記文字画像データが記述された文字画像レイヤデータを生成する文字画像レイヤ生成手段と、
前記選択手段で前記可視電子署名の半透明化が選択された場合には、前記半透明化された可視電子署名が付与された画像データの電子ファイルを生成し、一方、前記選択手段で前記文字画像レイヤデータの生成が選択された場合には、上位から順に、前記文字画像レイヤデータ、前記可視電子署名、前記画像データの階層構造を有する電子ファイルを生成するファイル生成手段と
を備えることを特徴とする画像処理装置。
【請求項８】
前記領域分割手段は、前記文字画像レイヤデータから画像処理装置が付与するヘッダー／フッターや前記画像に最初から付与されていたヘッダー／フッターの文字領域の情報を削除する手段を更に備え、
前記判定手段は、前記ヘッダー／フッターが削除された後に、前記抽出された画像領域と文字領域の両方が、前記可視電子署名が配置される領域に対して重なるか否かを判定することを特徴とする請求項７記載の画像処理装置。
【請求項９】
前記優先度は、ユーザにより予め設定されていることを特徴とする請求項７又は８に記載の画像処理装置。
【請求項１０】
前記可視電子署名が、前記領域分割手段で抽出された画像領域と文字領域の少なくともいずれかと重なるか否か判定する第１判定手段と、
前記第１判定手段で重なると判定した場合、前記可視電子署名を移動または縮小の少なくともいずれかを行うことにより、前記可視電子署名が前記抽出された画像領域と文字領域のいずれとも重ならないようにできるか否か判定する第２判定手段と
を更に備え、
前記第２判定手段で前記可視電子署名が前記抽出された画像領域と文字領域のいずれとも重ならないようにできると判定された場合、前記ファイル生成手段は、前記移動または縮小の少なくともいずれかが実行された可視電子署名が付与された前記画像データの電子ファイルを生成することを特徴とする請求項７ないし９のいずれかに記載の画像処理装置。
【請求項１１】
前記第２判定手段で前記可視電子署名が前記抽出された画像領域と文字領域のいずれとも重ならないようにできないと判定された場合、前記可視電子署名が配置される領域が、前記画像領域に重なるか、前記文字領域に重なるか、前記画像領域と前記文字領域の両方に重なるかを判定する第３判定手段を更に備え、
前記選択手段は、前記可視電子署名が配置される領域が、前記画像領域と前記文字領域の両方に重なると前記第３判定手段で判定した場合に、予め設定された優先度にしたがって、前記可視電子署名の半透明化、又は、透明な背景上に前記文字領域の文字画像データが記述された文字画像レイヤデータの生成の少なくとも一方を選択することを特徴とする請求項１０に記載の画像処理装置。
【請求項１２】
前記ファイル生成手段は、
前記可視電子署名が配置される領域が、前記画像領域に重なると前記第３判定手段で判定した場合は、当該半透明化された可視電子署名が付与された前記画像データの電子ファイルを生成し、
前記可視電子署名が配置される領域が、前記文字領域に重なると前記第３判定手段で判定した場合は、上位から順に、前記文字画像レイヤデータ、前記可視電子署名、前記画像データの階層構造を有する電子ファイルを生成することを特徴とする請求項１１に記載の画像処理装置。
【請求項１３】
可視電子署名を付加する画像処理方法であって、
画像データから文字画像データを抽出する文字画像抽出ステップと、
前記可視電子署名が配置される領域と前記文字画像データの領域とが重なるか否かを判定する判定ステップと、
前記可視電子署名が配置される領域と前記文字画像データの領域とが重なると前記判定ステップで判定した場合、透明な背景上に前記文字画像データが記述された文字画像レイヤデータを生成する文字画像レイヤ生成ステップと、
上位から順に、前記文字画像レイヤデータ、前記可視電子署名、前記画像データの階層構造を有する電子ファイルを生成するファイル生成ステップと
を含むことを特徴とする画像処理方法。
【請求項１４】
可視電子署名を付加する画像処理方法であって、
画像データから画像領域を抽出する領域分割ステップと、
前記可視電子署名が配置される領域と前記抽出された画像領域とが重なるか否かを判定する判定ステップと、
前記可視電子署名が配置される領域と、前記画像領域とが重なると前記判定ステップで判定された場合、前記可視電子署名を半透明化する半透明化ステップと、
前記半透明化された可視電子署名が付与された前記画像データの電子ファイルを生成するファイル生成ステップと
を含むことを特徴とする画像処理方法。
【請求項１５】
可視電子署名を付加する画像処理方法であって、
画像データから領域と画像領域とを抽出する領域分割ステップと、
前記可視電子署名が配置される領域に対して、前記画像領域と文字領域との両方が重なる場合、予め設定された優先度にしたがって、前記可視電子署名の半透明化、又は、透明な背景上に前記文字領域の文字画像データが記述された文字画像レイヤデータの生成の少なくとも一方を選択する選択ステップと、
前記選択ステップで前記可視電子署名の半透明化が選択された場合に、前記可視電子署名を半透明化する半透明化ステップと、
前記選択ステップで前記文字画像レイヤデータの生成が選択された場合に、透明な背景上に前記文字画像データが記述された文字画像レイヤデータを生成する文字画像レイヤ生成ステップと、
前記選択ステップで前記可視電子署名の半透明化が選択された場合には、前記半透明化された可視電子署名が付与された画像データの電子ファイルを生成し、一方、前記選択ステップで前記文字画像レイヤデータの生成が選択された場合には、上位から順に、前記文字画像レイヤデータ、前記可視電子署名、前記画像データの階層構造を有する電子ファイルを生成するファイル生成ステップと
を含むことを特徴とする画像処理方法。
【請求項１６】
コンピュータに、請求項１３から１５のいずれか１項に記載の方法を実行させるためのプログラムを記録したコンピュータ読み取り可能な記録媒体。
【請求項１７】
コンピュータに、請求項１３から１５のいずれか１項に記載の方法を実行させるためのプログラム。
【手続補正２】
【補正対象書類名】明細書
【補正対象項目名】００１１
【補正方法】変更
【補正の内容】
【００１１】
本発明の画像処理装置は、可視電子署名を付加する画像処理装置であって、画像データから文字画像データを抽出する文字画像抽出手段と、画像データのうちの可視電子署名が配置される領域と、文字画像データの領域とが重なるか否かを判定する判定手段と、可視電子署名が配置される領域と文字画像データの領域とが重なると判定手段で判定した場合、透明な背景上に文字画像データが記述された文字画像レイヤデータを生成する文字画像レイヤ生成手段と、画像データから、上位から順に、文字画像レイヤデータ、可視電子署名の順に画像領域を重ねた、画像データの階層構造を有する電子ファイルを生成するファイル生成手段とを備えることを特徴とする。
【手続補正３】
【補正対象書類名】明細書
【補正対象項目名】００１２
【補正方法】変更
【補正の内容】
【００１２】
本発明の画像処理装置は、可視電子署名を付加する画像処理装置であって、画像データから画像が描画されている画像領域を抽出する領域分割手段と、可視電子署名が配置される領域と抽出された画像領域とが重なるか否かを判定する判定手段と、画像データのうちの可視電子署名が配置される領域と、画像領域とが重なると判定手段で判定された場合、可視電子署名を半透明化する半透明化手段と、半透明化された可視電子署名が付与された画像データの電子ファイルを生成するファイル生成手段とを備えることを特徴とする。
【手続補正４】
【補正対象書類名】明細書
【補正対象項目名】００１３
【補正方法】変更
【補正の内容】
【００１３】
本発明の画像処理装置は、可視電子署名を付加する画像処理装置であって、画像データから文字領域と画像領域とを抽出する領域分割手段と、可視電子署名が配置される領域に対して、画像領域と文字領域との両方が重なる場合、予め設定された優先度にしたがって、可視電子署名の半透明化、又は、透明な背景上に文字領域の文字画像データが記述された文字画像レイヤデータの生成の少なくとも一方を選択する選択手段と、選択手段で可視電子署名の半透明化が選択された場合に、可視電子署名を半透明化する半透明化手段と、選択手段で文字画像レイヤデータの生成が選択された場合に、透明な背景上に文字画像データが記述された文字画像レイヤデータを生成する文字画像レイヤ生成手段と、選択手段で可視電子署名の半透明化が選択された場合には、半透明化された可視電子署名が付与された画像データの電子ファイルを生成し、一方、選択手段で文字画像レイヤデータの生成が選択された場合には、上位から順に、文字画像レイヤデータ、可視電子署名、画像データの階層構造を有する電子ファイルを生成するファイル生成手段とを備えることを特徴とする。
【手続補正５】
【補正対象書類名】明細書
【補正対象項目名】００１４
【補正方法】変更
【補正の内容】
【００１４】
本発明の画像処理方法は、可視電子署名を付加する画像処理方法であって、画像データから文字画像データを抽出する文字画像抽出ステップと、画像データのうちの可視電子署名が配置される領域と文字画像データの領域とが重なるか否かを判定する判定ステップと、可視電子署名が配置される領域と文字画像データの領域とが重なると判定ステップで判定した場合、透明な背景上に文字画像データが記述された文字画像レイヤデータを生成する文字画像レイヤ生成ステップと、画像データから、上位から順に、文字画像レイヤデータ、可視電子署名の順に画像領域を重ねた、画像データの階層構造を有する電子ファイルを生成するファイル生成ステップとを含むことを特徴とする。
【手続補正６】
【補正対象書類名】明細書
【補正対象項目名】００１５
【補正方法】変更
【補正の内容】
【００１５】
本発明の画像処理方法は、可視電子署名を付加する画像処理方法であって、画像データから画像が描画されている画像領域を抽出する領域分割ステップと、可視電子署名が配置される領域と抽出された画像領域とが重なるか否かを判定する判定ステップと、画像データのうちの可視電子署名が配置される領域と、画像領域とが重なると判定ステップで判定された場合、可視電子署名を半透明化する半透明化ステップと、半透明化された可視電子署名が付与された画像データの電子ファイルを生成するファイル生成ステップとを含むことを特徴とする。
【手続補正７】
【補正対象書類名】明細書
【補正対象項目名】００１６
【補正方法】変更
【補正の内容】
【００１６】
本発明の画像処理方法は、可視電子署名を付加する画像処理方法であって、画像データから領域と画像領域とを抽出する領域分割ステップと、可視電子署名が配置される領域に対して、画像領域と文字領域との両方が重なる場合、予め設定された優先度にしたがって、可視電子署名の半透明化、又は、透明な背景上に文字領域の文字画像データが記述された文字画像レイヤデータの生成の少なくとも一方を選択する選択ステップと、選択ステップで可視電子署名の半透明化が選択された場合に、可視電子署名を半透明化する半透明化ステップと、選択ステップで文字画像レイヤデータの生成が選択された場合に、透明な背景上に文字画像データが記述された文字画像レイヤデータを生成する文字画像レイヤ生成ステップと、選択ステップで可視電子署名の半透明化が選択された場合には、半透明化された可視電子署名が付与された画像データの電子ファイルを生成し、一方、選択ステップで文字画像レイヤデータの生成が選択された場合には、上位から順に、文字画像レイヤデータ、可視電子署名、画像データの階層構造を有する電子ファイルを生成するファイル生成ステップとを含むことを特徴とする。